(57)【要約】【課題】特別な部品点数の増加や組立作業工程の増加等を伴うことなく、係止突起の欠損に起因する問題の発生を未然に且つ有効に防止することの出来る、新規な構造の流体封入式防振装置を提供することにある。【解決手段】仕切部材３０を構成する第一及び第二の部材３２，３４の一方に係止突起１１０を形成すると共に他方に係止孔１１２を形成して第一及び第二の部材３２，３４を重ね合わせ状態に保持せしめる係止機構１１０，１１２を構成すると共に、重ね合わせ状態に保持された第一及び第二の部材３２，３４の各外周面を、第二の取付部材１４の筒壁部２４を縮径してその内周面に被着したシールゴム層２８を介して第二の取付部材１４に嵌着固定する一方、係止孔１１２が形成された第一又は第二の部材３２，３４に係止孔１１２の開口を係止突起１１０の突出側から覆うカバー部１２２を形成した。【選択図】図１
2007092972.tif 000002
【特許請求の範囲】
【請求項１】
第一の取付部材を筒状の第二の取付部材の一方の開口部側に配すると共に、それら第一の取付部材と第二の取付部材を本体ゴム弾性体で連結して該第二の取付部材の該一方の開口部を流体密に閉塞する一方、該第二の取付部材の他方の開口部を可撓性膜で閉塞して、それら本体ゴム弾性体と可撓性膜の対向面に非圧縮性流体が封入された流体室を形成し、更に、該第二の取付部材によって仕切部材を支持せしめて該仕切部材で該流体室を仕切ることにより、壁部の一部が本体ゴム弾性体で構成された受圧室と、壁部の一部が該可撓性膜で構成された平衡室を形成すると共に、それら受圧室と平衡室を連通するオリフィス通路を形成した流体封入式防振装置において、
前記第二の取付部材の軸方向で互いに重ね合わせられた第一の部材と第二の部材を含んで前記仕切部材を構成し、それら第一の部材と第二の部材の一方に係止突起を形成すると共に他方に係止孔を形成して該係止孔に該係止突起を挿通して係止することで該第一の部材と該第二の部材を重ね合わせ状態に保持せしめる係止機構を構成すると共に、該係止機構で重ね合わせ状態に保持された該第一の部材および該第二の部材の各外周面を、該第二の取付部材の筒壁部を縮径して該筒壁部の内周面に被着したシールゴム層を介して該第二の取付部材に嵌着固定する一方、該係止孔が形成された該第一の部材又は該第二の部材には、該係止孔の開口を該係止突起が突出せしめられる側から覆うカバー部を形成したことを特徴とする流体封入式防振装置。
【請求項２】
前記第一の部材と前記第二の部材によって協働して前記オリフィス通路が形成されている請求項１に記載の流体封入式防振装置。
【請求項３】
前記係止突起および前記係止孔が、それぞれ、前記第一の部材および前記第二の部材の外周部分において周上で複数箇所に形成されている請求項１又は２に記載の流体封入式防振装置。
【請求項４】
前記第一の部材又は前記第二の部材に形成された前記カバー部は、前記係止孔の開口縁部から前記係止突起の突出側に立ち上がる立上壁部と、該立上壁部の先端から屈曲して該係止孔を離隔して覆う蓋壁部とから形成されていると共に、該立上壁部が該係止孔の周上で部分的に形成されて該カバー部が側方に開口せしめられていると共に、該蓋壁部が該係止孔の開口部以下の大きさで形成されている請求項１乃至３の何れか一項に記載の流体封入式防振装置。
【請求項５】
前記係止孔が形成された前記第一の部材又は前記第二の部材において、外周縁部には前記係止突起の突出方向に向かって突出する外周壁部が形成されていると共に、前記カバー部が該外周壁部に向かって外周側に開口する袋状構造とされている一方、該係止突起が該係止孔に挿通される脚部と該脚部の突出先端部からカギ状に屈曲した頭部から構成されており、該頭部が該挿通孔から該外周壁部に向かって延び出した状態で係止されるようになっている請求項１乃至４の何れか一項に記載の流体封入式防振装置。
【請求項６】
前記第一の部材と前記第二の部材は、それらの中央部分において弾性材を挟み込んで重ね合わせられていると共に、それらの外周部分において、複数箇所に前記係止機構が設けられている請求項１乃至５の何れか一項に記載の流体封入式防振装置。
【請求項７】
前記第一の部材は、その中央部分において可動部材が組み付けられている一方、前記第二の部材は、その中央部分に形成された凹所がカバーゴムで覆蓋されて作用空気室が形成されている請求項１乃至６の何れか一項に記載の流体封入式防振装置。
【請求項８】
前記係止突起は、その基端部が最も強度的に弱い構造とされている請求項１乃至７の何れか一項に記載の流体封入式防振装置。
【発明の詳細な説明】
【技術分野】
【０００１】
本発明は、内部に封入された流体の流動作用に基づいて防振効果を得るようにした流体封入式防振装置に係り、特に、内部に仕切部材を配設して複数の流体室を形成し、それら複数の流体室をオリフィス通路を通じて相互に連通せしめた流体封入式防振装置に関するものである。
【背景技術】
【０００２】
従来から、振動伝達系を構成する部材間に介装される防振支持体や防振連結体等の防振装置の一種として、内部に封入された非圧縮性流体の共振作用等の流動作用に基づいて防振効果を得るようにした流体封入式防振装置が知られている。この流体封入式防振装置においては、例えば特許文献１（特開２００３−１３９１８９号公報）にも示されているように、第一の取付金具を筒状の第二の取付金具の一方の開口部側に配して、第一の取付金具と第二の取付金具を本体ゴム弾性体で弾性連結して第二の取付金具の一方の開口部を流体密に閉塞する一方、第二の取付金具の他方の開口部を可撓性膜で流体密に閉塞して、それら本体ゴム弾性体と可撓性膜の間に非圧縮性流体が封入された流体室を形成している。また、第二の取付金具によって支持された仕切部材を本体ゴム弾性体と可撓性膜の間に配設して、流体室を仕切ることにより、仕切部材を挟んだ両側において、壁部の一部が本体ゴム弾性体で構成された受圧室と壁部の一部が可撓性膜で構成された平衡室を形成し、それら両室をオリフィス通路で相互に連通させている。
【０００３】
また、流体封入式防振装置における仕切部材は、その構造上、複数の部材を重ね合わせて構成されることがある。例えば、長いオリフィス通路や複数のオリフィス通路等の種々のオリフィス通路を形成したり、内部にゴム膜や副液室、空気室等を設けたりするために、複雑な形状や構造が求められるからである。このような仕切部材を第二の取付金具に固定するには、複数の部材を軸方向に重ね合わせると共に第二の取付金具の筒壁部に内挿し、筒壁部に絞り加工等の縮径加工を施して、複数の部材からなる仕切部材を筒壁部に嵌着固定するようになっている。なお、主として、仕切部材に形成されたオリフィス通路のシール性を向上させる等の目的で、複数の部材の各外周面が、筒壁部の内周面に被着されたゴム層を介して該内周面に密着状に当接している。
【０００４】
ところで、上述の仕切部材においては、取り扱いや管理、第二の取付金具への組み付け作業を容易とするために、予め複数の部材を重ね合わせた状態で固定しておいてから、第二の取付金具に固定することが望ましい。そのために、例えば複数の部材同士を予め溶着や接着、圧入固定等することが考えられる。しかしながら、それらの固定に際して、特別な作業や材料、設備を必要とすることは避けたい。何よりも、複数の部材が、最終的に第二の取付金具で嵌着固定されるのであれば、それらを重ね合わせた状態で仮固定されていれば良く、そのような固定方法は必ずしも適当でない。
【０００５】
そこで、複数の部材を第二の取付金具に嵌着固定する前に仮固定する手段として、機械的な係止機構が考えられる。具体的には、例えば特許文献２（特開２００４−１４４２３７号公報）等に記載されているものが、それである。かかる文献２には、互いに重ね合わせて固定しようとする両部材の少なくとも一方を樹脂成形品として、その一方に係止突起を形成すると共に、他方に係止孔を形成し、係止孔に係止突起を挿通して係止させる、係止機構が開示されている。
【０００６】
しかしながら、本発明者が検討したところ、第二の取付金具と仕切部材のＡＳＳＹ方法（組付け方法）の違いにより、例えば第二の取付金具の筒壁部の絞りによる仕切部材の固定方法において、筒壁部の絞り率や絞り径、絞り部分の接触面積等の違いにより、係止機構の一部を構成している係止突起が欠損する可能性があることが判明した。
【０００７】
すなわち、第二の取付金具の筒壁部に縮径加工を施して仕切部材を嵌着固定する際に、筒壁部の縮径変位に基づき、筒壁部の内周面に被着されたゴム層が筒壁部と仕切部材の間で軸直角方向に圧縮されると、ゴム層が軸方向に逃げるように弾性変形する。ゴム層の逃げに伴い、係止機構により互いに軸方向で係止された複数の部材に対して、軸方向でそれぞれ離隔する方向の外力が作用せしめられる。そして、この外力の作用により、予め仮固定として樹脂材で形成された係止突起が前述のＡＳＳＹ方法の違いによっては欠損する可能性があることが判った。
【０００８】
なお、係止突起の欠損は、複数の部材が第二の取付金具に固定された状態での複数の部材同士の固定に関して問題ない。蓋し、複数の部材同士を固定する固定力が、第二の取付金具の縮径加工に基づく嵌着固定により得られるからである。しかし、この欠損した係止突起が、流体室内に落ち込むと、それがオリフィス通路に入り込んで詰まったり、可撓性膜に接触して損傷等を与えるおそれがあった。
【０００９】
【特許文献１】特開２００３−１３９１８９号公報
【特許文献２】特開２００４−１４４２３７号公報
【発明の開示】
【発明が解決しようとする課題】
【００１０】
ここにおいて、本発明は上述の如き事情を背景として為されたものであり、その解決課題とするところは、特別な部品点数の増加や組立作業工程の増加等を伴うことなく、係止突起の欠損に起因する問題の発生を未然に且つ有効に防止することの出来る、新規な構造の流体封入式防振装置を提供することにある。
【課題を解決するための手段】
【００１１】
以下、前述の課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１２】
（本発明の態様１）
本発明の態様１の特徴とするところは、第一の取付部材を筒状の第二の取付部材の一方の開口部側に配すると共に、それら第一の取付部材と第二の取付部材を本体ゴム弾性体で連結して該第二の取付部材の該一方の開口部を流体密に閉塞する一方、該第二の取付部材の他方の開口部を可撓性膜で閉塞して、それら本体ゴム弾性体と可撓性膜の対向面に非圧縮性流体が封入された流体室を形成し、更に、該第二の取付部材によって仕切部材を支持せしめて該仕切部材で該流体室を仕切ることにより、壁部の一部が本体ゴム弾性体で構成された受圧室と、壁部の一部が該可撓性膜で構成された平衡室を形成すると共に、それら受圧室と平衡室を連通するオリフィス通路を形成した流体封入式防振装置において、前記第二の取付部材の軸方向で互いに重ね合わせられた第一の部材と第二の部材を含んで前記仕切部材を構成し、それら第一の部材と第二の部材の一方に係止突起を形成すると共に他方に係止孔を形成して該係止孔に該係止突起を挿通して係止することで該第一の部材と該第二の部材を重ね合わせ状態に保持せしめる係止機構を構成すると共に、該係止機構で重ね合わせ状態に保持された該第一の部材および該第二の部材の各外周面を、該第二の取付部材の筒壁部を縮径して該筒壁部の内周面に被着したシールゴム層を介して該第二の取付部材に嵌着固定する一方、該係止孔が形成された該第一の部材又は該第二の部材には、該係止孔の開口を該係止突起が突出せしめられる側から覆うカバー部を形成した流体封入式防振装置にある。
【００１３】
このような本態様に従う構造とされた流体封入式防振装置においては、第一の部材と第二の部材が係止機構で機械的に組み付けられることから、特別な作業や材料、設備等が必要なくなり、両部材の組み付け作業が容易となる。また、仕切部材が第二の取付部材に嵌着固定される前に、該仕切部材を構成する第一の部材と第二の部材が重ね合わせ状態に保持されていることにより、それらの取り扱いや管理に優れている。
【００１４】
また、第二の取付部材の筒壁部の縮径に基づき、重ね合わせ状態に保持された第一の部材と第二の部材の各外周面が、筒壁部の内周面に被着されたシールゴム層を介して第二の取付部材に嵌着固定されることで、仕切部材が第二の取付部材に固定されるようになっている。従って、第一の部材と第二の部材を第二の取付部材に各別に固定する手間が省け、仕切部材の第二の取付部材への組み付け作業が容易となる。
【００１５】
ところで、本発明者が検討したところ、第二の取付部材の筒壁部の縮径に伴い、第一及び第二の部材と筒壁部の間に配されたシールゴム層が軸直角方向に圧縮されると、シールゴム層が軸方向に逃げるように弾性変形することが確認された。而して、シールゴム層の軸方向の逃げに伴い第一の部材と第二の部材が軸方向で互いに離隔する方向に変位することとなって、かかる変位に起因して係止孔と係止された係止突起に応力集中や大きな歪みが生じ、係止突起が欠損するおそれのあることが、新たに知見されるに至った。
【００１６】
かくの如き新規な知見に基づき、本態様では、係止孔が形成された第一の部材または第二の部材において、カバー部が、係止孔の開口を係止突起が突出せしめられる側から覆うように形成されている。これにより、係止突起が欠損してもカバー部で支持せしめられることとなり、係止突起が流体室内に落とし込まれることが防止される。従って、係止突起の流体室内への落ち込みに起因する、係止突起のオリフィス通路への詰まりや係止突起の接触による可撓性膜の損傷等の種々の問題が解消され得る。
【００１７】
また、第一の部材と第二の部材を重ね合わせ状態に保持する固定力は、第一及び第二の部材が第二の取付部材に嵌着固定される前に、係止機構によって得られるのであれば、第一及び第二の部材が第二の取付部材に嵌着固定された状態で、係止突起の欠損により係止機構が解除されたとしても、該固定力が第二の取付部材の嵌着固定により得られる。要するに、第一及び第二の部材が第二の取付部材に固定された状態では、係止突起の欠損が、それら第一及び第二の部材からなる仕切部材の構成に甚大な影響を及ぼすことがない。従って、係止機構の強度向上等のために、第一及び第二の部材や係止突起の材料や構造等に格別に配慮する必要がなくなり、製作容易性や製造コストの低減化が有利に図られ得る。
【００１８】
それ故、本態様に係る流体封入式防振装置にあっては、組み立て作業の容易化や製造コストの低減化が有利に図られつつ、目的とする品質や防振性能の信頼性が好適に保持され得るのである。
【００１９】
（本発明の態様２）
本発明の態様２の特徴とするところは、本発明の態様１に係る流体封入式防振装置において、前記第一の部材と前記第二の部材によって協働して前記オリフィス通路が形成されていることにある。
【００２０】
本態様においては、オリフィス通路の形状や大きさ、構造、配置、数等に係る種々の設計変更の自由度が大きくなり、延いてはオリフィス通路を通じて流動せしめられる流体共振のチューニング自由度が大きくなることから、防振効果が一層有利に発揮され得る。
【００２１】
（本発明の態様３）
本発明の態様３の特徴とするところは、本発明の態様１又は２に係る流体封入式防振装置において、前記係止突起および前記係止孔が、それぞれ、前記第一の部材および前記第二の部材の外周部分において周上で複数箇所に形成されていることにある。
【００２２】
本態様においては、複数の係止機構が設けられることとなり、第一の部材と第二の部材が一層安定して固定される。また、例えば、各係止突起が各係止孔に挿通されると共に、第一の部材と第二の部材が相対的に回動されて、各係止突起が各係止孔に係止されるようにした、回動式の係止構造を採用しても良い。このような回動式係止構造を採用すると、第一の部材と第二の部材を容易に且つ強固に組み付けることが出来る。
【００２３】
（本発明の態様４）
本発明の態様４の特徴とするところは、本発明の態様１乃至３の何れか一つに係る流体封入式防振装置において、前記第一の部材又は前記第二の部材に形成された前記カバー部は、前記係止孔の開口縁部から前記係止突起の突出側に立ち上がる立上壁部と、該立上壁部の先端から屈曲して該係止孔を離隔して覆う蓋壁部とから形成されていると共に、該立上壁部が該係止孔の周上で部分的に形成されて該カバー部が側方に開口せしめられていると共に、該蓋壁部が該係止孔の開口部以下の大きさで形成されていることにある。
【００２４】
本態様においては、係止孔の開口部やカバー部の側方の開口部を利用して、立上壁部および蓋壁部からなるカバー部を、型成形により、第一の部材又は第二の部材と一体形成することが可能となる。それ故、製作容易性が一層有利に向上され得る。
【００２５】
（本発明の態様５）
本発明の態様５の特徴とするところは、本発明の態様１乃至４の何れか一つに係る流体封入式防振装置において、前記係止孔が形成された前記第一の部材又は前記第二の部材において、外周縁部には前記係止突起の突出方向に向かって突出する外周壁部が形成されていると共に、前記カバー部が該外周壁部に向かって外周側に開口する袋状構造とされている一方、該係止突起が該係止孔に挿通される脚部と該脚部の突出先端部からカギ状に屈曲した頭部から構成されており、該頭部が該挿通孔から該外周壁部に向かって延び出した状態で係止されるようになっていることにある。
【００２６】
本態様においては、係止突起が脚部と頭部からなるカギ状とされていると共に、カバー部が外周壁部に向かって開口する袋状とされていることによって、係止突起がカバー部の開口部から落ち込み難い構造とされている。それ故、欠損した係止突起の流体室内への落とし込み防止機能がより有利に発揮され得る。しかも、係止突起のカギ状およびカバー部の袋状の各形状に基づいて、係止突起やカバー部を、何れも型成形により、第一及び第二の部材と一体構造とすることが出来、その結果、製作容易性が向上され得る。
【００２７】
（本発明の態様６）
本発明の態様６の特徴とするところは、本発明の態様１乃至５の何れか一つに係る流体封入式防振装置において、前記第一の部材と前記第二の部材は、それらの中央部分において弾性材を挟み込んで重ね合わせられていると共に、それらの外周部分において、複数箇所に前記係止機構が設けられていることにある。
【００２８】
本態様においては、第一の部材と第二の部材が、それらの間に弾性材を挟み込んだ状態で係止機構により軸方向に重ね合わせ状態に保持せしめられると、弾性材の弾性力に基づいて、第一の部材と第二の部材を軸方向で互いに離隔する方向に作用する反力が得られる。この反力によって、係止突起と係止孔の係止作用が一層大きくされて、第一の部材と第二の部材の固定状態が一層安定するのである。
【００２９】
（本発明の態様７）
本発明の態様７の特徴とするところは、本発明の態様１乃至６の何れか一つに係る流体封入式防振装置において、前記第一の部材は、その中央部分において可動部材が組み付けられている一方、前記第二の部材は、その中央部分に形成された凹所がカバーゴムで覆蓋されて作用空気室が形成されていることにある。
【００３０】
本態様においては、可動部材の変位乃至は変形や作用空気室の圧力の調節や制御に基づいて流体室の圧力変動を調節することが可能となり、それによって、所期の防振効果がより安定して得られる。しかも、可動部材や作用空気室が第一の部材の中央部分や第二の部材の中央部分を利用して効率的に配されることから、防振装置のコンパクト化が有利に達成され得る。
【００３１】
（本発明の態様８）
本発明の態様８の特徴とするところは、本発明の態様１乃至７の何れか一つに係る流体封入式防振装置において、前記係止突起は、その基端部が最も強度的に弱い構造とされていることにある。
【００３２】
本態様においては、係止突起が基端部から欠損し易くなることから、欠損する係止突起の形状や大きさが十分に確保される。それ故、係止突起がカバー部に確実に支持されて、係止突起の流体室内への落とし込みが一層有利に阻止され得る。
【発明の効果】
【００３３】
上述の説明からも明らかなように、本発明に従う構造とされた流体封入式防振装置においては、第一及び第二の部材を係止機構で重ね合わせ状態に保持して仕切部材を構成し、仕切部材が第二の取付部材に嵌着固定された状態で、係止突起が欠損しても、係止突起がカバー部により支持される。これにより、係止突起の流体室内への落とし込みに起因するオリフィス通路の目詰まりや可撓性膜の損傷等の種々の問題が解消される。それ故、組み立て作業の容易や製造コストの低減が有利に図られつつ、所期の防振性能や品質が安定して得られるのである。
【発明を実施するための最良の形態】
【００３４】
以下、本発明を更に具体的に明らかにするために、本発明の実施形態について説明する。先ず、図１〜２には、本発明の一実施形態としての自動車用エンジンマウント１０が示されている。このエンジンマウント１０は、第一の取付部材としての第一の取付金具１２と第二の取付部材としての第二の取付金具１４が本体ゴム弾性体１６で連結された構造とされている。第一の取付金具１２がパワーユニット側に取り付けられると共に、第二の取付金具１４が車両ボデー側に取り付けられることにより、パワーユニットがボデーに対して防振支持されるようになっている。なお、図１では、エンジンマウント１０の自動車への非装着状態が示されているが、本実施形態では、装着状態において、パワーユニットの分担支持荷重がマウント軸方向（図１中、上下）に入力されて、本体ゴム弾性体１６の弾性変形に基づき第一の取付金具１２と第二の取付金具１４が軸方向で互いに接近する方向に変位すると共に、振動の主たる入力方向が略マウント軸方向とされている。以下の説明中において、特に断りのない限り、上下方向は図１中の上下方向をいう。
【００３５】
より詳細には、第一の取付金具１２は、下方に開口するカップ形状を呈している。第一の取付金具１２の中央部分には、上方に開口する螺子穴を備えたナット部１８が一体形成されている。
【００３６】
一方、第二の取付金具１４は、大径の略段付き円筒形状を有しており、軸方向中間部分に形成された段差部２０を挟んで、上方が大径筒部２２とされていると共に、下方が大径筒部２２よりも径寸法が小さな小径筒部２４とされている。また、第一の取付金具１２が第二の取付金具１４の一方（図１中、上）の開口部側に離隔配置されて、両金具１２，１４の中心軸が略同一線上に位置せしめられていると共に、第一の取付金具１２と第二の取付金具１４の間には、本体ゴム弾性体１６が配されている。
【００３７】
本体ゴム弾性体１６は、大径の略円錐台形状を有しており、その小径側端面が、第一の取付金具１２のナット部１８を除く略全体を埋設した状態で、第一の取付金具１２の外周面に加硫接着されている。また、本体ゴム弾性体１６の大径側端部外周面が、第二の取付金具１４の大径筒部２２および段差部２０の内周面に加硫接着されている。要するに、本体ゴム弾性体１６が、第一の取付金具１２と第二の取付金具１４を備えた一体加硫成形品として形成されている。これにより、第一の取付金具１２と第二の取付金具１４が、本体ゴム弾性体１６によって相互に弾性的に連結されていると共に、第二の取付金具１４の大径筒部２２側における一方（図１中、上）の開口部が本体ゴム弾性体１６で流体密に閉塞されている。また、本体ゴム弾性体１６の大径側端面には、下方に開口する略すり鉢形状の大径凹所２６を備えている。また、第二の取付金具１４の小径筒部２４の内周面には、本体ゴム弾性体１６と一体形成された薄肉のシールゴム層２８が、略一定の厚さ寸法で、全体に亘って被着形成されている。
【００３８】
さらに、第一及び第二の取付金具１２，１４を備えた本体ゴム弾性体１６の一体加硫成形品には、第二の取付金具１４の他方（図１中、下）の開口部側から仕切部材３０が組み付けられている。
【００３９】
仕切部材３０は、全体として略円柱形状を呈していて、その外径寸法が第二の取付金具１４の小径筒部２４の内径寸法よりも小さくされている。また、仕切部材３０は、複数の部材を組み合わせてなる分割構造体とされており、第一の部材としての第一仕切部材３２や第二の部材としての第二仕切部材３４を含んで構成されている。
【００４０】
第一仕切部材３２は、図３〜４にも示されているように、厚肉の略円板形状を有していると共に、硬質の合成樹脂材を用いて形成されている。第一仕切部材３２には、凹所としての下面中央に開口する大径の中央凹所３６が形成されている。中央凹所３６の深さ寸法が大きくされていることで、中央凹所３６の上底部を構成する第一仕切部材３２の中央上部が、薄肉の略円板形状とされている。また、中央凹所３６の軸方向中間部分には、軸直角方向外方に広がる円環形状の段差部３８が形成されている。それによって、中央凹所３６の段差部３８を挟んだ上底部側（図１中、上）の周壁部の径寸法が、段差部３８を挟んだ開口部側（図１中、下）の周壁部の径寸法よりも小さくされている。
【００４１】
また、第一仕切部材３２の外周部分には、軸直角方向外方に開口する略一定の凹状断面で周方向に所定の長さ（例えば、本実施形態では一周弱）で延びる、周溝４０が形成されている。周溝４０の一方の端部が、第一仕切部材３２の上端部に形成された切欠き状の連通窓４２を通じて上方に開口していると共に、周溝４０の他方の端部が、第一仕切部材３２の下端部に貫設された連通孔４４を通じて下方に開口している。更に、周溝４０は、連通孔４４から上方に離隔した第一仕切部材３２の軸方向中間部分において、第一仕切部材３２の軸方向及び軸直角方向にトンネル状に延びる連通路４６と接続されている。連通路４６の内側端部が中央凹所３６の周壁部に開口していることにより、周溝４０が連通路４６を介して中央凹所３６に開口している。
【００４２】
さらに、第一仕切部材３２の上端部分の中央には、円環形状を呈する環状突部４８が突設されている。環状突部４８には、蓋部材５０が取り付けられている。蓋部材５０は、硬質の合成樹脂材を用いて形成されていると共に、中央部分が上方に向かって円形状に膨らむような円形皿状とされている。蓋部材５０の外周部分が第一仕切部材３２の環状突部４８に重ね合わせられて溶着等で固着されていることにより、蓋部材５０が第一仕切部材３２に取り付けられている。これら第一仕切部材３２と蓋部材５０の間には、略円形状の拘束配設領域５２が形成されている。拘束配設領域５２の上下壁部を構成する第一仕切部材３２や蓋部材５０の円形状の各中央部分には、多数の小孔からなる透孔５４が形成されている。
【００４３】
拘束配設領域５２には、可動部材としての可動板５６が収容配置されている。可動板５６は、薄肉の略円板形状を有しており、ゴム弾性材を用いて形成されている。特に本実施形態では、可動板５６の上下端部に突起乃至は溝部の複数が設けられていることにより、複数の起伏を有している。可動板５６の厚さ寸法が、拘束配設領域５２の上下の内法寸法よりも小さくされていると共に、可動板５６の外径寸法が、拘束配設領域５２の左右の内法寸法よりも小さくされている。更に、可動板５６の中央部分には、軸方向両側に突出する一対の中央軸部５８，５８が一体形成されている。各中央軸部５８が、第一仕切部材３２と蓋部材５０の各中心軸上に貫設された挿通孔６０に対して、それぞれ変位可能に内挿されている。それによって、可動板５６が、拘束配設領域５２の略センターに位置せしめられて、該領域５２の上壁部を構成する蓋部材５０の中央部分と可動板５６の上端部の離隔距離または該領域５２の下壁部を構成する第一仕切部材３２の中央部分と可動板５６の下端部の離隔距離の分だけ、軸方向に変位可能に配されている。可動板５６が蓋部材５０や第一仕切部材３２に当接することにより、可動板５６の軸方向の変位量が、それ自体の弾性変形作用と合わせて、緩衝的に制限されるようになっている。
【００４４】
一方、第二仕切部材３４は、図５〜６にも示されているように、厚肉の略円板形状を有していると共に、硬質の合成樹脂材を用いて形成されている。第二仕切部材３４には、下面中央に開口する下側凹所６２が形成されている。また、第二仕切部材３４の上端部分の中央には、浅底皿状の中央突部６４が一体形成されている。中央突部６４の基端部側の外周壁部に、周方向に所定の長さで延びる嵌着溝６６が刻設されている。また、第二仕切部材３４の外周部分には、軸方向に延びて、第二仕切部材３４における中央突部６４周りの上端面と下側凹所６２の底部側の下端面に開口する連通孔６８が設けられている。更に、第二仕切部材３４の上方の外周部分と下方の外周部分には、それぞれ周方向に所定の長さで延びる上側嵌着溝７０と下側嵌着溝７２が設けられている。
【００４５】
第二仕切部材３４の中央突部６４には、カバーゴムとしての略円板形状を有する調圧用ゴム板７４が配設されている。調圧用ゴム板７４の外周縁部（面）には、環状の嵌着リング７６が加硫接着されている。嵌着リング７６は、中央突部６４の周壁部に外挿されて、嵌着リング７６の軸方向中間部分から下方の部分に対して縮径加工が施されていると共に、径方向内方に屈曲せしめられた嵌着リング７６の下端部が、中央突部６４の嵌着溝６６に係止固定されている。これにより、中央突部６４の開口部分が調圧用ゴム板７４で覆われて、中央突部６４の底部と調圧用ゴム板７４の間において、外部と閉ざされた作用空気室７８が形成されている。なお、中央突部６４の周壁部に外挿された嵌着リング７６の内周面には、調圧用ゴム板７４と一体形成された薄肉のシールゴム層が被着形成されており、このシールゴム層が嵌着リング７６と中央突部６４の周壁部の間で弾性変形して嵌着リング７６の内周面および中央突部６４の周壁部の外周面に密着状に当接していることによって、作用空気室７８の流体密性が高くされている。また、嵌着リング７６の上端部がフランジ状に屈曲しており、その上端部に調圧用ゴム板７４と一体形成されたシールリップ８０が一体形成されている。かかるシールリップ８０は、略一定の山形断面で調圧用ゴム板７４の周方向に連続して延びている。
【００４６】
また、空気通路８２が第二仕切部材３４の内部に形成されており、空気通路８２の一方の端部が、作用空気室７８に接続されていると共に、空気通路８２の他方の端部が、第二仕切部材３４の外周面に形成されて露呈されたポート部８４に接続されている。
【００４７】
特に本実施形態では、第二仕切部材３４の嵌着リング７６の最大外径寸法となる嵌着リング７６の上端部の外径寸法が、第一仕切部材３２の中央凹所３６の最大内径寸法となる段差部３８を挟んだ中央凹所３６の開口部側の内径寸法よりも僅かに小さくされている。また、嵌着リング７６の上端部に被着されたシールリップ８０の径寸法が、第一仕切部材３２の段差部３８の径寸法と略同じとされている。
【００４８】
そして、第二仕切部材３４の嵌着リング７６が第一仕切部材３２の中央凹所３６に内挿されて、嵌着リング７６の上端部がシールリップ８０を介して中央凹所３６の段差部３８に重ね合わせられていると共に、第一仕切部材３２の中央凹所３６周りの下端面と第二仕切部材３４の嵌着リング７６周りの上端面が、両部材３４，３６の軸方向に互いに重ね合わせられている。なお、第一仕切部材３２および第二仕切部材３４の軸方向と第一及び第二の取付金具１２，１４を備えた本体ゴム弾性体１６の一体加硫成形品の軸方向が、平行とされている。
【００４９】
また、軸方向で重ね合わせられた第一及び第二仕切部材３２，３４が第二の取付金具１４の小径筒部２４側（図１中、下）の開口部から軸方向に差し入れられている。更に、第二の取付金具１４の他方の端部に形成された内フランジ状の嵌着突部８６の下端面が、第二仕切部材３４の外周部分の上端面に重ね合わせられていることによって、第一及び第二仕切部材３２，３４が、それらの各外周面と第二の取付金具１４の小径筒部２４の内周面が軸直角方向で対向するように、第二の取付金具１４に対して軸方向に位置決めされている。更にまた、小径筒部２４を含む第二の取付金具１４に縮径加工が施されていることによって、第一及び第二仕切部材３２，３４の各外周面が小径筒部２４の内周面に被着されたシールゴム層２８を介して小径筒部２４の内周面に流体密に重ね合わせられていると共に、嵌着突部８６が第二仕切部材３４の上側嵌着溝７０に係止固定されている。これにより、第一仕切部材３２と第二仕切部材３４を含んでなる仕切部材３０が、軸直角方向に拡がるようにして第二の取付金具１４に嵌着固定されている。このことからも明らかなように、本実施形態では、第二の取付金具１４の筒壁部が小径筒部２４を含んで構成されている。また、仕切部材３０の下端部には、可撓性膜としてのダイヤフラム８８が組み付けられている。
【００５０】
ダイヤフラム８８は、中央部分に十分な弛みをもたせて変形容易とした薄肉の略円板形状のゴム弾性膜によって構成されている。ダイヤフラム８８の外周縁部（面）には、大径の略円筒形状の固定金具９０が加硫接着されている。固定金具９０の上端部には、内フランジ状に延びる嵌着突部９２が一体形成されている。固定金具９０の内周面には、ダイヤフラム８８と一体形成された薄肉のシールゴム層が被着形成されている。このような固定金具９０が嵌着突部９２を備えた一方（図１中、上）の開口部から第二仕切部材３４に外挿されて、固定金具９０に縮径加工が施されている。これにより、第二仕切部材３４の下方の外周面が、固定金具９０の内周面に被着されたシールゴム層を介して固定金具９０の内周面に流体密に重ね合わせられていると共に、嵌着突部９２が第二仕切部材３４の下側嵌着溝７２に係止固定されて、ダイヤフラム８８が仕切部材３０に取り付けられている。
【００５１】
それによって、第二の取付金具１４の他方の開口部（図１中、下）が、仕切部材３０を介してダイヤフラム８８で流体密に閉塞されていると共に、仕切部材３０が、本体ゴム弾性体１６とダイヤフラム８８の軸方向（図１中、上下）の対向面間に配設されている。
【００５２】
外部空間に対して密閉された本体ゴム弾性体１６とダイヤフラム８８の対向面間には、非圧縮性流体が封入された流体室９４が形成されている。封入流体としては、例えば水やアルキレングリコール, ポリアルキレングリコール, シリコーン油等が採用されるが、特に流体の共振作用等の流動作用に基づく防振効果を有効に得るためには、０．１Ｐａ・ｓ以下の低粘性流体を採用することが望ましい。また、流体室９４への非圧縮性流体の封入は、例えば第一及び第二の取付金具１２，１４を備えた本体ゴム弾性体１６の一体加硫成形品に対する仕切部材３０やダイヤフラム８８の組み付けを非圧縮性流体中で行うこと等によって、有利に実現される。
【００５３】
また、流体室９４は、その内部に仕切部材３０が軸直角方向に拡がるように配設されていることによって上下に二分されている。この仕切部材３０を挟んだ軸方向一方（図１中、上）の側には、壁部の一部が本体ゴム弾性体１６で構成されて、第一の取付金具１２と第二の取付金具１４の間への振動入力時に、本体ゴム弾性体１６の弾性変形に基づいて圧力変動が生ぜしめられる受圧室９６が形成されている。一方、仕切部材３０を挟んだ軸方向他方（図１中、下）の側には、壁部の一部がダイヤフラム８８で構成されて、該ダイヤフラム８８の弾性変形に基づいて容積変化が容易に許容される平衡室９８が形成されている。
【００５４】
さらに、第一仕切部材３２における中央凹所３６の段差部３８と第二仕切部材３４における嵌着リング７６の上端部が、それらの間で軸方向に圧縮変形されたシールリップ８０を挟んで流体密に重ね合わせられていることによって、中央凹所３６の段差部３８を挟んだ上方の小径領域が調圧用ゴム板７４によって流体密に覆蓋されている。この調圧用ゴム板７４で閉塞された中央凹所３６には、受圧室９６や平衡室９８と同じく、非圧縮性流体が封入された中間室１００が形成されている。
【００５５】
更にまた、可動板５６の一方の面が、蓋部材５０に形成された透孔５４を通じて受圧室９６に臨んでいると共に、可動板５６の他方の面が、第一仕切部材３２の中央部分、換言すれば中央凹所３６の上底部に形成された透孔５４を通じて中間室１００に臨んでいる。その結果、拘束配設領域５２で可動板５６が板厚方向（図１中、上下）に変位せしめられることにより、各透孔５４を通じての流体の流動作用に基づいて、受圧室９６と中間室１００の間で圧力が伝達されるようになっている。かかる圧力伝達量は、可動板５６が第一仕切部材３２や蓋部材５０に当接されて可動板５６の変位量が制限されることに基づき制限されることとなる。
【００５６】
また、第一仕切部材３２の周溝４０が、第二の取付金具１４の小径筒部２４の内周面に被着されたシールゴム層２８を挟んで小径筒部２４に流体密に覆蓋されていることによって、オリフィス通路としての第一のオリフィス通路１０２が形成されている。第一のオリフィス通路１０２の一方の端部が、第一仕切部材３２の連通窓４２を通じて、受圧室９６に接続されている。また、第一のオリフィス通路１０２の他方の端部が、互いに軸方向で位置合わせされた第一仕切部材３２の連通孔４４と第二仕切部材３４の連通孔６８を通じて平衡室９８に接続されている。これにより、受圧室９６と平衡室９８が第一のオリフィス通路１０２で相互に接続されており、それら両室９６，９８間で、第一のオリフィス通路１０２を通じての流体流動が許容されるようになっている。
【００５７】
さらに、第一仕切部材３２の周溝４０の他方の端部付近に接続された連通路４６が、周溝４０と共に第二の取付金具１４の小径筒部２４によって流体密に覆蓋されている。これら周溝４０と連通路４６が協働して第二のオリフィス通路１０４が形成されている。第二のオリフィス通路１０４の一方の端部が連通路４６を介して中間室１００に接続されていると共に、第二のオリフィス通路１０４の他方の端部が第一仕切部材３２の連通孔４４および第二仕切部材３４の連通孔６８を通じて平衡室９８に接続されている。これにより、中間室１００と平衡室９８が第二のオリフィス通路１０４で相互に連通されており、それら両室９８，１００間で、第二のオリフィス通路１０４を通じての流体流動が許容されるようになっている。上述の説明からも明らかなように、本実施形態では、第一のオリフィス通路１０２や第二のオリフィス通路１０４が、第一仕切部材３２と第二仕切部材３４によって協働して形成されている。なお、連通路４６が周溝４０の一部と接続されていることによって、第二のオリフィス通路１０４が第一のオリフィス通路１０２の一部と協働して形成されているが、周溝４０の軸方向断面積と連通路４６の軸方向断面積が互いに異ならされていると共に、連通路４６の軸方向断面積と第一及び第二仕切部材３２，３４の各連通孔４４，６８の大きさが略同じとされていることによって、第一のオリフィス通路１０２と第二のオリフィス通路１０４が、周溝４０や連通路４６、連通孔４４，６８の断面積や長さ等に基づき、各別にチューニングされている。
【００５８】
特に本実施形態では、第一のオリフィス通路１０２を流動せしめられる流体の共振周波数が、該流体の共振作用に基づいてエンジンシェイク等に相当する１０Ｈｚ前後の低周波数域の振動に対して有効な防振効果（高減衰効果）が発揮されるようにチューニングされている。また、第二のオリフィス通路１０４を流動せしめられる流体の共振周波数が、該流体の共振作用に基づいてアイドリング振動等に相当する２０〜４０Ｈｚ程度の中周波数域にチューニングされている。これにより、第二のオリフィス通路１０４が、第一のオリフィス通路１０２よりも高周波数域にチューニングされていると共に、中周波数域の振動入力時に、第二のオリフィス通路１０４を流動せしめられる流体の共振作用に基づいて有効な防振効果（低動ばねによる振動絶縁効果）が発揮されるようになっている。なお、第一及び第二のオリフィス通路１０２，１０４のチューニングは、例えば、受圧室９６や平衡室９８，中間室１００の各壁ばね剛性、即ちそれら流体室９４を単位容積だけ変化させるのに必要な圧力変化量に対応する本体ゴム弾性体１６やダイヤフラム８８、可動板５６、調圧用ゴム板７４の各弾性変形量に基づく特性値を考慮しつつ、それぞれのオリフィス通路１０２，１０４の通路長さと通路断面積を調節することによって行うことが可能であり、一般に、オリフィス通路１０２，１０４を通じて伝達される圧力変動の位相が変化して略共振状態となる周波数を、当該オリフィス通路１０２，１０４のチューニング周波数として把握することが出来る。
【００５９】
また、第一の取付金具１２のナット部１８が図示しない固定ボルトを用いてパワーユニット側の取付部材に螺着固定されると共に、第二の取付金具１４の大径筒部２２等が図示しないアウタブラケットに固着されて、アウタブラケットが車両ボデー側の取付部材にボルト等で固定されるようになっている。これにより、エンジンマウント１０が、パワーユニットと車両ボデーの間に装着されて、パワーユニットを車両ボデーに防振支持せしめるようになっている。
【００６０】
かかる装着状態下において、仕切部材３０に形成された空気通路８２のポート部８４に空気管路１０６が接続され、空気管路１０６を通じて、作用空気室７８が切換バルブ１０８に接続されている。切換バルブ１０８は、例えば電磁バルブ等によって構成されており、作用空気室７８を、大気中と所定の負圧源とに択一的に連通せしめるようになっている。また、切換バルブ１０８は、図示しない制御装置と接続されている。制御装置では、自動車に備え付けられた各種センサ等から、自動車の速度やエンジン回転数、減速機選択位置、スロットル開度など、自動車の状態を表す各種情報のうち、必要なものが入力されるようになっており、かかる情報に基づいて、予め設定されたプログラムに従って、マイクロコンピュータのソフトウエア等により、切換バルブ１０８を切換作動させるようになっている。そして、切換バルブ１０８を、自動車の走行状態等の各種条件下で入力される振動に応じて適当に切換制御することにより、目的とする防振効果を得るための作用空気室７８の圧力制御が行われる。
【００６１】
ここでエンジンマウント１０における具体的な作動態様の一つを示す。防振すべき振動として、（１）低周波大振幅振動であるエンジンシェイクや（２）高周波小振幅振動である走行こもり音、（３）中周波中振幅振動であるアイドリング振動の３種類の振動を考慮することとし、各振動に対する防振効果を以下に説明する。
【００６２】
（１）エンジンシェイクに対する防振効果
エンジンシェイク等の低周波大振幅振動の入力時には、受圧室９６に対して非常に大きな振幅の圧力変動が惹起されることとなる。この圧力変動に際して可動板５６が変位するが、可動板５６の許容された可動距離範囲の変位では受圧室９６の圧力変動が吸収され難いように、可動板５６の可動距離が設定されている。これにより、可動板５６の圧力吸収作用は実質的に機能し得ず、受圧室９６には有効な圧力変動が生ぜしめられることとなる。
【００６３】
すなわち、低周波大振幅振動の入力に際しては、可動板５６や中間室１００が殆ど機能し得ない。そして、かかる振動入力時に受圧室９６と平衡室９８の間に生ぜしめられる相対的な圧力変動により第一のオリフィス通路１０２を通じての流体流動量が効果的に確保されて、第一のオリフィス通路１０２を流動せしめられる流体の共振作用に基づいて、エンジンシェイクに対して有効な防振効果（高減衰効果）が発揮されるのである。
【００６４】
なお、作用空気室７８は、大気中と負圧源の何れに接続されていても良い。尤も、調圧用ゴム板７４を作用空気室７８の底面（第二仕切部材３４の上端面）に吸引吸着させることで調圧用ゴム板７４は機能しなくなり、中間室１００は容積不変となる。その結果、中間室１００による液圧吸収がなくなり、第一のオリフィス通路１０２を通じての流体流動量が一層有利に確保される。
【００６５】
（２）走行こもり音等に対する防振効果
第二のオリフィス通路１０４のチューニング周波数よりも高い走行こもり音等の高周波小振幅振動の入力時には、受圧室９６に対して小さな振幅の圧力変動が惹起されることとなる。この圧力変動に際して可動板５６は有効に変位して、可動板５６の可動距離範囲の変位によって、受圧室９６の圧力変動が中間室１００に対して効率的に伝達され、中間室１００において調圧用ゴム板７４の弾性変形に基づく液圧吸収作用が発揮されるようになっている。要するに、高周波小振幅振動の入力時には、可動板５６と中間室１００と調圧用ゴム板７４の協働作用による液圧吸収機能がはたらいて、受圧室９６の圧力変動が中間室１００で吸収されることにより、マウント１０の著しい高動ばね化が回避されることとなる。
【００６６】
なお、高周波小振幅振動の入力に際して、それよりも低周波数域にチューニングされた第一のオリフィス通路１０２や第二のオリフィス通路１０４は、何れも、反共振的な作用によって流体流通抵抗が著しく大きくなって、実質的に閉塞状態とされる。
【００６７】
すなわち、かかる状態下では、受圧室９６とその圧力が逃がされた中間室１００は、何れも、平衡室９８から独立した遮断状態となるが、中間室１００の壁部の一部を構成する調圧用ゴム板７４は、その背後に形成された作用空気室７８が大気中に解放されていることにより、弾性変形が比較的容易に許容された状態とされる。特に、調圧用ゴム板７４には、走行こもり音等の高周波小振幅振動の入力時に惹起される中間室１００の圧力変動の程度はその弾性変形に基づいて十分に吸収せしめ得る程度に柔らかいばね特性が設定されている。それ故、第一及び第二のオリフィス通路１０２，１０４の実質的な閉塞化に起因する著しい高動ばね化が回避されて、高周波小振幅振動に対する良好な防振効果（低動ばね特性に基づく振動絶縁効果）が発揮されるのである。
【００６８】
（３）アイドリング振動に対する防振効果
第一のオリフィス通路１０２のチューニング周波数よりも高いアイドリング振動等の中周波中振幅振動の入力時には、受圧室９６に対して或る程度の振幅の圧力変動が惹起されることとなる。この圧力変動に際して可動板５６が変位して、可動板５６の可動距離範囲の変位によって、受圧室９６の圧力変動が中間室１００に伝達されるようになっている。なお、中周波中振幅振動の入力に際して、それよりも低周波数域にチューニングされた第一のオリフィス通路１０２は、反共振的な作用によって流体流通抵抗が著しく大きくなって、実質的に閉塞状態とされる。
【００６９】
かかる状態下では、受圧室９６と同様に有効な圧力変動が惹起される中間室１００と容積可変の平衡室９８が、中周波数域にチューニングされた第二のオリフィス通路１０４を通じて接続された構成となる。それ故、振動入力時に受圧室９６および中間室１００と平衡室９８の間に生ぜしめられる相対的な圧力変動により第二のオリフィス通路１０４を通じての流体流動量が効果的に確保され得て、第二のオリフィス通路１０４を流動せしめられる流体の共振作用に基づいて、アイドリング振動に対して有効な防振効果（低動ばね特性に基づく振動絶縁効果）が発揮され得るのである。
【００７０】
なお、本実施形態では、第二のオリフィス通路１０４のチューニング周波数域の振動入力時において、作用空気室７８は、大気中に接続されていても良いし、負圧源に接続されていても良い。要求される防振特性に応じて設定できるし、それらを適宜に切り替えるようにしても良い。
【００７１】
すなわち、本実施形態では、作用空気室７８が大気中に接続されている場合と負圧源に接続されている場合とで、中間室１００の壁部を構成する調圧用ゴム板７４のばね特性が変化する。先ず、作用空気室７８を大気中に接続した状態では、調圧用ゴム板７４が非拘束状態とされて、柔らかいばね特性が発揮される。一方、作用空気室７８を負圧源に接続した状態では、調圧用ゴム板７４が作用空気室７８側に負圧吸引変形されたり、更に強く吸引されて調圧用ゴム板７４が作用空気室７８の底面に重ね合わせられることによって変形拘束されて硬いばね剛性が発揮される。それ故、作用空気室７８が大気中に接続されている場合と負圧源に接続されている場合では、中間室１００の壁ばね剛性が異なり、その結果、第二のオリフィス通路１０４のチューニング周波数が変化して、有効な防振効果が発揮される周波数が変化する。なお、このことから明らかなように、調圧用ゴム板７４のばね特性は、ダイヤフラム８８程には柔らかくなく、その弾性変形に基づいてアイドリング振動等の中周波中振幅の振動の入力時に惹起される中間室１００の圧力変動は吸収し得ずに中間室１００に対して、第二のオリフィス通路１０４を通じての流体流動を生ぜしめ得るに十分な圧力変動が惹起され得る程度のばね剛性を有している。
【００７２】
従って、例えば通常のアイドリング状態と始動時やエアコン作動時等のファーストアイドリング状態とで切換バルブ１０８を切り換えて、作用空気室７８を大気中と負圧源に選択的に接続することにより、中周波数域の領域でも数Ｈｚ〜数十Ｈｚの範囲で周波数の異なるアイドリング振動に対して、より高度に第二のオリフィス通路１０４をチューニングさせて、一層優れた防振効果を得ることが可能となる。
【００７３】
尤も、このようにアイドリング振動の発生周波数域で、車両状態に応じて切換バルブ１０８を切換作動させて第二のオリフィス通路１０４のチューニングを変更設定することは、本発明において必須ではない。例えば、アイドリング振動の変化量が比較的小さい場合などにおいては、アイドリング状態下で、常時、作用空気室７８が負圧源に接続されるようにして、かかる状態下で、第二のオリフィス通路１０４を通じての流体流動量が一層有利に確保され得て、アイドリング振動に対して一層効果的な防振効果を発揮し得るようにチューニングしておくことにより、より高度な防振効果を得ることが可能である。
【００７４】
また、本実施形態に係るエンジンマウント１０では、第一及び第二仕切部材３２，３４からなる仕切部材３０の第二の取付金具１４への固定に関して、特徴的な構造を備えている。即ち、図７にも示されているように、仕切部材３０が第二の取付金具１４に嵌着固定される前の状態で、第一仕切部材３２と第二仕切部材３４が、係止機構を用いて、互いに重ね合わせ状態に保持されている。この係止機構は、係止突起１１０や係止孔１１２を含んで構成されている。
【００７５】
係止突起１１０は、第一仕切部材３２の中央凹所３６の開口部周りの外周部分の下端部において、下方に向かって突出するように一体形成されている。特に本実施形態では、３つの係止突起１１０，１１０，１１０が、第一仕切部材３２の下端部の周上で略等間隔に離隔して配されている。また、係止突起１１０は、第一仕切部材３２の下端部と一体形成された基端部１１４から下方に向かって略一定の屈曲状断面で延びる脚部１１６と、該脚部１１６の先端部分から第一仕切部材３２の径方向外方に略平板形状に広がる頭部１１８を含んで構成されている。換言すれば、第一仕切部材３２の周方向に長手状に延びる平板形状の頭部１１８が、第一仕切部材３２の下端部と平行に延びて、該下端部と軸方向に所定距離を隔てて対向されている。また、脚部１１６が、頭部１１８の幅方向内側の端部と長手方向一方の端部から上方に立ち上がるようにして略一定のＬ字状断面で第一仕切部材３２に向かって延びており、その先端部分が係止突起１１０の基端部１１４として第一仕切部材３２と一体形成されている。その結果、係止突起１１０の軸方向断面が、全体としてカギ状を呈している。また、各係止突起１１０が、第一仕切部材３２の外周部分の幅方向中間部分、即ち第一仕切部材３２の外周縁部と中央凹所３６の間の環状領域の幅方向中間部分に設けられており、各頭部１１８の径方向外方に向かう先端部分が、第一仕切部材３２の外周縁部よりも径方向内側に位置せしめられている。
【００７６】
特に本実施形態では、係止突起１１０の厚さ寸法が全体に亘って略一定とされている。また、係止突起１１０の基端部１１４が、係止突起１１０の上端部分に設けられていると共に、第一仕切部材３２の下端部と略直交して一体形成されている。これにより、係止突起１１０において、基端部１１４に応力集中が生ぜしめられ易くなり、基端部１１４が最も強度的に弱い構造とされている。
【００７７】
一方、係止孔１１２が、第二仕切部材３４の中央突部６４周りの外周部分の幅方向中間部分に形成されており、第二仕切部材３４の中央突部６４周りの上端部と下側凹所６２の底部を軸方向に貫いている。係止孔１１２は、第二仕切部材３４の周方向に沿って所定の長さで延びる長孔形状とされている。特に本実施形態では、３つの係止孔１１２，１１２，１１２が、第二仕切部材３４の周上で略等間隔に形成されている。また、３つの係止孔１１２，１１２，１１２のうちの一つの周方向端部が第二仕切部材３４の連通孔６８の周方向端部に接続されているため、該係止孔１１２が、他の二つの係止孔１１２，１１２に比して、外観上大きくされている。
【００７８】
また、係止孔１１２は周方向に略一定の幅寸法で延びていると共に、係止孔１１２の幅寸法が、係止突起１１０の幅寸法よりも僅かに大きくされている。更に、係止孔１１２の周方向長さ：Ｌが係止突起１１０の周方向長さ：ｌよりも大きくされており、特に限定されるものでないが、係止孔１１２の周方向長さ：Ｌと係止突起１１０の周方向長さ：ｌの比：Ｌ／ｌが、好適には１．２≦Ｌ／ｌ≦３と、より好適には１．５≦Ｌ／ｌ≦２とされる。
【００７９】
さらに、係止孔１１２の外周縁部における周方向一方の端部には、外周壁部１２０が一体形成されている。外周壁部１２０は、周方向一方の端部から他方の端部に向かって係止孔１１２の外周縁部に沿って延びる長手ブロック状とされている。また、外周壁部１２０の上端面が、係止孔１１２の上方が開口する第二仕切部材３４の上端面と略面一とされている一方、外周壁部１２０の下端部（面）が、係止孔１１２の下方が開口する第二仕切部材３４の下側凹所６２の底部（面）よりも上方に位置せしめられている。要するに、外周壁部１２０の軸方向寸法が係止孔１１２の軸方向寸法よりも小さくされている。
【００８０】
外周壁部１２０の幅寸法が、係止孔１１２の幅寸法よりも所定の大きさだけ小さくされており、例えば係止孔１１２の幅寸法の略半分とされている。また、外周壁部１２０の周方向長さが、係止孔１１２の周方向長さよりも小さくされており、例えば係止孔１１２の周方向長さの略半分とされている。特に本実施形態では、外周壁部１２０の幅寸法が、係止突起１１０における頭部１１８の幅方向外方の端縁部と頭部１１８の幅方向内方の端部に沿って延びる脚部１１６の間の軸直角方向（幅方向）離隔距離よりも僅かに小さくされている。また、外周壁部１２０の周方向長さが、係止突起１１０における頭部１１８の周方向一方の端縁部と頭部１１８の周方向他方の端部に沿って延びる脚部１１６の間の周方向離隔距離よりも僅かに小さくされている。
【００８１】
そこにおいて、第二仕切部材３４における各係止孔１１２の周りには、カバー部１２２が一体形成されている。カバー部１２２は、係止孔１１２の開口周縁部から下方に向かって略一定の矩形枠状断面に延びる立上壁部１２４と、立上壁部１２４の先端部分から第二仕切部材３４の径方向に屈曲して略平板形状に広がる蓋壁部１２６を含んで構成されている。蓋壁部１２６は、第二仕切部材３４の下側凹所６２の底部や係止孔１１２の縁部と一体形成された外周壁部１２０と平行に延びている。なお、第二仕切部材３４の連通孔６８と接続された係止孔１１２に配されるカバー部１２２では、連通孔６８の大きさを十分に確保するために、そのカバー部１２２の大きさが、他の二つの係止孔１１２，１１２に配される各カバー部１２２の大きさに比して、小さくされている。
【００８２】
特に、係止孔１１２の開口周縁部において外周壁部１２０が一体形成された部分には、立上壁部１２４が形成されておらず、また、蓋壁部１２６の一部が、外周壁部１２０を避けるようにして、外周壁部１２０と軸方向および軸直角方向（径方向）に所定距離を隔てて対向せしめられた切欠き状とされている。即ち、外周壁部１２０の周りにはカバー部１２２が形成されていないのであり、カバー部１２２と外周壁部１２０の間には、所定の大きさの隙間１２８が設けられていると共に、かかる外周壁部１２０周りのカバー部１２２に切欠き状部１３０が設けられている。隙間１２８における外周壁部１２０の下端面から蓋壁部１２６の上端面と略同じ高さの位置に至る軸方向寸法、即ち外周壁部１２０と切欠き状部１３０の軸方向対向面間の距離が、係止突起１１０の頭部１１８の厚さ寸法よりも僅かに大きくされており、特に本実施形態では、頭部１１８の厚さ寸法の２倍より小さくされている。また、カバー部１２２の切欠き状部１３０の周方向一方の端部が外周壁部１２０の周方向一方の端部と略面一とされていると共に、切欠き状部１３０の周方向他方の端部が外周壁部１２０の周方向他方の端部よりも周方向外方に位置せしめられていることによって、切欠き状部１３０の周方向長さが、外周壁部１２０の周方向長さよりも大きくされている。また、切欠き状部１３０の幅寸法が、外周壁部１２０の幅寸法よりも小さくされている。
【００８３】
さらに、カバー部１２２の切欠き状部１３０の大きさが、係止突起１１０の頭部１１８の軸直角方向に広がる大きさ、延いては脚部１１６および頭部１１８を含んでなる係止突起１１０の全体の大きさに比して、十分に小さくされている。従って、本実施形態のカバー部１２２を備えた係止機構には、外周壁部１２０や隙間１２８、切欠き状部１３０が設けられていることにより、カバー部１２２の立上壁部１２４が係止孔１１２の周上で部分的に形成されている。また、カバー部１２２の蓋壁部１２６の大きさが、例えば係止孔１１２の下方への開口の大きさの１／２と、好ましくは２／３とされていることで、蓋壁部１２６が係止孔１１２の開口部以下の大きさで形成されている。その結果、カバー部１２２が、外周壁部１２０に向かって係止孔１１２の外周側に開口するような袋状構造とされている。
【００８４】
これら３つの係止突起１１０を備えた第一仕切部材３２と各３つの係止孔１１２や外周壁部１２０、カバー部１２２を備えた第二仕切部材３４においては、図８〜９にも示されているように、各係止孔１１２の周方向一方の外周壁部１２０と反対側の周方向他方の端部の上方に各係止突起１１０が位置せしめられて、第一仕切部材３２と第二仕切部材３４が軸方向に重ね合わせられると共に、各係止突起１１０が各係止孔１１２に挿通される。
【００８５】
さらに、軸方向で互いに重ね合わせられた第一仕切部材３２と第二仕切部材３４が、重ね合わせ方向に延びる両部材３２，３４の中心軸回りで相対的に回動されて、各係止突起１１０が各係止孔１１２内を外周壁部１２０側の周方向端部に向かって変位する。而して、図１０にも示されているように、外周壁部１２０が係止突起１１０の脚部１１６および頭部１１８に略全体に亘って包み込まれるようにして、外周壁部１２０と係止突起１１０が相互に重ね合わせられていることにより、係止突起１１０が外周壁部１２０を備えた係止孔１１２に係止されている。これにより、第一仕切部材３２と第二仕切部材３４の相対的な回動によって、各係止突起１１０が各係止孔１１２の外周壁部１２０に一度に係止される、回動式の係止機構が構成されている。かかる係止機構により、第一仕切部材３２と第二仕切部材３４が軸方向に重ね合わせ状態に保持されているのである。なお、係止突起１１０の外周壁部１２０側の先端部分は、係止孔１１２の周方向端部に当接していても当接していなくても良い。また、本実施形態では、第一仕切部材３２と第二仕切部材３４が相対的に回動されて、係止機構により両部材３２，３４の重ね合わせ状態が保持された際に、第一仕切部材３２の連通孔４４や第二仕切部材３４の連通孔６８が軸方向で位置合わせされるようになっていることから、係止機構が、第一仕切部材３２と第二仕切部材３４の位置決め手段としても機能する。また、上述の説明からも明らかなように、係止突起１１０及び係止孔１１２からなる係止機構が、第一仕切部材３２と第二仕切部材３４の外周部分において、周上の三箇所に設けられている。
【００８６】
特に本実施形態では、第一仕切部材３２と第二仕切部材３４が第二の取付金具１４の軸方向に重ね合わせられた際に、第一仕切部材３２の段差部３８と第二仕切部材３４の嵌着リング７６の上端部の間に介装されて軸方向に圧縮変形することに基づき作用空気室７８や中間室１００を流体密にシールする、シールリップ８０が、第一仕切部材３２の中央部分と第二仕切部材３４の中央部分の間で挟み込まれる弾性材として機能し得る。シールリップ８０の弾性復元力に基づき、第一仕切部材３２と第二仕切部材３４に軸方向で相互に離隔する方向の作用力（反力）を与えて、係止突起１１０と係止孔１１２（外周壁部１２０）の係止作用が一層大きくされている。
【００８７】
そして、このように重ね合わせ状態に保持された第一及び第二仕切部材３２，３４が、前述の如く、第一及び第二の取付金具１２，１４を備えた本体ゴム弾性体１６の一体加硫成形品に対して、第二の取付金具１４の他方の開口部から差し込まれると共に、第二の取付金具１４に縮径加工が施されて、第一及び第二仕切部材３２，３４の各外周面が、第二の取付金具１４の小径筒部２４の内周面に被着されたシールゴム層２８を介して第二の取付金具１４に嵌着固定されている。
【００８８】
ここにおいて、第一仕切部材３２に形成された係止突起１１０が係止孔１１２の開口部に挿通されて平衡室９８側に突出していると共に、第二仕切部材３４に形成されたカバー部１２２も係止孔１１２の開口縁部から平衡室９８側に、即ち係止突起１１０の突出側に突出しており、係止突起１１０が、カバー部１２２によって平衡室９８側への露出を妨げるように、略全体に亘って覆われている。なお、カバー部１２２の切欠き状部１３０を通じて、係止突起１１０を備えたカバー部１２２の内側には、平衡室９８の非圧縮性流体が満たされている。また、係止突起１１０の頭部１１８が、カバー部１２２の蓋壁部１２６や切欠き状部１３０よりも上方に位置せしめられている。本実施形態では、係止突起１１０の頭部１１８とカバー部１２２の蓋壁部１２６や、係止突起１１０の脚部１１６とカバー部１２２の立上壁部１２４が、それぞれ、僅かな距離を隔てて対向せしめられているが、互いに当接していても良い。
【００８９】
従って、上述の如き構造とされた自動車用エンジンマウント１０においては、作用空気室７８や中間室１００、第一及び第二のオリフィス通路１０２，１０４等を有利に配設するために、仕切部材３０が第一仕切部材３２と第二仕切部材３４を軸方向で重ね合わせた構造とされているが、かかる軸方向の重ね合わせ状態が、第二の取付金具１４への嵌着固定前に、係止機構で保持されていることによって、仕切部材３０の取り扱いや管理に優れていると共に、第二の取付金具１４への組み付け作業が容易となる。
【００９０】
特に本実施形態では、第一仕切部材３２の中央部分と第二仕切部材３４の中央部分の間に挟み込まれたシールリップ８０の弾性変形に基づく反力を利用して、各係止突起１１０の外周壁部１２０に対する係止力が一層大きくされていることから、特別な加工や部品点数の増加を伴うことなく、第一仕切部材３２と第二仕切部材３４の重ね合わせ状態が一層安定する。
【００９１】
ところで、第二の取付金具１４（小径筒部２４）の縮径に伴い、仕切部材３０と小径筒部２４の間に配されたシールゴム層２８が、径方向（厚さ方向）で圧縮変形せしめられる分だけ軸方向に逃げるように弾性変形する。それに伴い、シールゴム層２８に密着した第一仕切部材３２と第二仕切部材３４が、軸方向で互いに離隔する方向に変位する。結果として、第一仕切部材３２と第二仕切部材３４を軸方向で連結する係止機構における係止突起１１０や外周壁部１２０に応力集中や大きな歪みが生じて、係止突起１１０等が欠損するおそれがある。
【００９２】
そこにおいて、第二仕切部材３４のカバー部１２２が、平衡室９８側に突出する係止突起１１０を略全体に亘って覆っていることにより、前述の如き第一仕切部材３２と第二仕切部材３４の軸方向変位に起因して係止突起１１０が欠損しても、係止突起１１０がカバー部１２２で支持せしめられることとなり、係止突起１１０の平衡室９８内への落とし込みが防止される。
【００９３】
特に本実施形態では、係止孔１１２の平衡室９８側への開口の半分以上、好ましくは２／３以上が、カバー部１２２で小さくされている。また、係止突起１１０の頭部１１８が収容される係止孔１１２の平衡室９８側への開口とカバー部１２２の蓋壁部１２６の間の距離が、頭部１１８の厚さ寸法の２倍よりも小さくされている。更に、カバー部１２２に形成された切欠き状部１３０の大きさが、頭部１１８の大きさに比して小さくされている。それ故、欠損した係止突起１１０の平衡室９８への落とし込みが、カバー部１２２によって確実に防止される。
【００９４】
また、本実施形態では、係止突起１１０の基端部１１４が、第一仕切部材３２の下端部と略直交するように一体形成されて、係止突起１１０において強度的に最も弱い構造とされていることから、係止突起１１０の欠損が基端部１１４から生じ易くなる。即ち、強度が弱い部分を意図的に設けることにより、係止突起１１０の欠損に方向性を持たせることが出来る。しかも、その弱い部分が基端部１１４とされていることで、基端部１１４が壊れて係止突起１１０が第一仕切部材３２から分離した場合に、カバー部１２２の切欠き状部１３０よりも大きな形状の係止突起１１０が確保され易くなり、該係止突起１１０がカバー部１２２により安定して支持される。
【００９５】
さらに、本実施形態では、係止機構が第一及び第二仕切部材３２，３４の外周部分で複数設けられていると共に、係止機構における係止突起１１０がカギ状とされていると共に、カバー部１２２が袋状構造とされていることによって、第一仕切部材３２と第二仕切部材３４の固定状態乃至は軸方向の重ね合わせ状態の安定が図られつつ、係止突起１１０が平衡室９８内により落とし込まれ難い構造とされている。
【００９６】
それ故、係止突起１１０の平衡室９８等の流体室９４内への落ち込みに起因する、係止突起１１０の第一又は第二のオリフィス通路１０２，１０４への詰まりや係止突起１１０のダイヤフラム８８への接触によるダイヤフラム８８の損傷等の問題が解消されて、目的とする品質や防振性能の信頼性が好適に保持され得るのである。
【００９７】
また、第一仕切部材３２と第二仕切部材３４を軸方向に重ね合わせ状態に保持する固定力に関して、係止機構における係止突起１１０等の欠損は、第一仕切部材３２と第二仕切部材３４が第二の取付金具１４に嵌着固定された状態では問題ない。かかる固定力が第二の取付金具１４の嵌着固定により得られるからである。従って、係止突起１１０の強度確保等のために第一仕切部材３２を鉄等の高強度な材料を用いて形成せずとも良いのであり、本実施形態のように合成樹脂材等を用いて係止突起１１０と第一仕切部材３２が一体形成されることにより、製造コストの低減化やマウント１０の軽量化が有利に図られ得る。
【００９８】
しかも、第二仕切部材３４の外周壁部１２０と軸方向で所定距離を隔てた位置のカバー部１２２には、周方向長さが該外周壁部１２０の周方向長さよりも大きな切欠き状部１３０が設けられている。これにより、第二仕切部材３４を図示しない金型を用いて型成形する際に、係止孔１１２の上方の開口から金型の一部を差し入れて、外周壁部１２０の上端部および周壁部やカバー部１２２の立上壁部１２４の内周部分、カバー部１２２の蓋壁部１２６の上端部を形成すると共に、カバー部１２２の下方から切欠き状部１３０を通じて金型の一部を差し入れて、外周壁部１２０の下端部や立上壁部１２４の外周部分、蓋壁部１２６の下端部を形成することが可能となる。それ故、外周壁部１２０やカバー部１２２を第二仕切部材３４と容易に一体形成することが出来、製作容易性や製造コストの低減化がより有利に向上され得るのである。
【００９９】
また、本実施形態では、第二仕切部材３４における嵌着リング７６の上端部と第一仕切部材３２における中央凹所３６の周壁部の間に全周に亘って隙間が設けられている。これにより、第二の取付金具１４の縮径加工に伴い、仕切部材３０が第二の取付金具１４に嵌着固定された際に、例えば、係止突起１１０の欠損等により、第一仕切部材３２と第二仕切部材３４が軸直角方向に相対変位して、嵌着リング７６と中央凹所３６の周壁部が相対変位した場合にも、隙間の存在によって、嵌着リング７６と中央凹所３６の周壁部が互いに当接して大きな歪みや応力集中が生じることが抑えられる。それ故、作用空気室７８の流体密性は嵌着リング７６の下端部により、中間室１００の流体密性は嵌着リング７６の上端部のシールリップ８０により、それぞれ安定して発揮され得るのであり、それによって、所期の防振効果が一層安定して得られるのである。
【０１００】
以上、本発明の一実施形態について詳述してきたが、かかる実施形態における具体的な記載によって、本発明は、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは、言うまでもない。
【０１０１】
例えば、前記実施形態では、係止突起１１０と係止孔１１２が各３つ設けられて３つの係止機構が構成され、これら係止機構が仕切部材３０の周方向で略等間隔に配置されていたが、これに限定されるものでなく、係止機構が一、二若しくは三以上設けられたり、複数の係止機構が周方向で不等間隔に設けられても良い。
【０１０２】
また、前記実施形態では、第一仕切部材３２に係止突起１１０が設けられていると共に、第二仕切部材３４に係止孔１１２が設けられていたが、係止突起を第二仕切部材に設けると共に、係止孔を第一仕切部材に設けたり、或いは複数の係止突起と係止孔を、それぞれ第一仕切部材と第二仕切部材に適当に振り分けて設けることも可能である。
【０１０３】
さらに、前記実施形態では、係止突起１１０が、係止孔１１２の縁部に一体形成された外周壁部１２０に係止されていたが、外周壁部を設けずに、係止孔の周方向端部等に対して直接に係止されるようにしても良い。
【０１０４】
更にまた、前記実施形態では、回動式の係止機構が採用されていたが、例えば係止突起を係止孔に挿通させて、第一仕切部材と第二仕切部材を軸方向に乃至は軸直角方向に相対変位させることにより、係止突起を係止孔にスライド式に係止させる係止機構を採用しても良い。
【０１０５】
また、カバー部１２２の形状や大きさ、構造等は例示のものに限定されない。例えば、前記実施形態では、カバー部１２２が係止孔１１２が設けられた第二仕切部材３４に一体形成されていたが、カバー部を別体形成すると共に、第二仕切部材の係止孔周りに固着しても良い。それに伴い、カバー部と係止孔の外周壁部が別体形成されることから、係止孔の外周壁部とカバー部を型成形により一体形成するために、特別にカバー部に切欠き状部を設ける必要はなく、例えば、カバー部が係止孔の下方の開口を全体に亘って覆蓋せしめるような形状や大きさとされることも可能である。
【０１０６】
また、図１１にも示されているように、係止突起１１０の基端部１１４に対して、周方向に所定の長さで延びる溝部１３２を形成することによって、基端部１１４の厚さ寸法を脚部１１６や頭部の厚さ寸法よりも小さくし、それによって、基端部１１４を一層低強度化せしめることも可能である。なお、図１１中において、前記実施形態と実質的に同一の構造とされた部材および部位については、図中に同一の符号を付することにより、それらの詳細な説明を省略する。
【０１０７】
また、第一のオリフィス通路１０２や第二のオリフィス通路１０４における形状や大きさ、構造、位置、数などの形態は、要求される防振特性や製作性などに応じて設定変更されるものであり、例示の如きものに限定されるものでない。
【０１０８】
さらに、前記実施形態では、可動板５６を拘束配設領域５２の中央に位置せしめた状態で、可動板５６の全周囲に隙間が形成されるようになっていたが、例えば可動板を、その板厚方向において、予め拘束配設領域の一部と弾性的に当接せしめた状態で、更には圧縮せしめた状態で、組み付けるようにしても良い。即ち、可動板を板厚方向で拘束配設領域に当接状態で或いは圧縮状態で組み付けたとしても、可動板の上下両面に圧力差が及ぼされることにより、可動板の弾性変形に基づいて受圧室の圧力吸収作用が発揮され得るのである。しかも、可動板を予め当接状態或いは圧縮状態で拘束配設領域に収容して組み付けることにより、可動板の第一仕切部材や蓋部材に対する打ち当たりの衝撃が一層有利に抑えられることとなる。
【０１０９】
更にまた、前記実施形態では、可動部材として、仕切部材３０を構成する第一及び第二仕切部材３２，３４から物理的に独立配置されて所定距離だけ自由変位可能とされた可動板５６が採用されていたが、それに代えて、外周縁部が仕切部材に対して固着されて、中央部分の弾性変形に基づいて変位乃至は変形が許容されることにより、受圧室から中間室への圧力伝達を許容する可動膜を採用することも可能である。このような可動膜については、周知の構造であるから詳細な説明を省略する。
【０１１０】
また、前記実施形態では、第二のオリフィス通路１０４や中間室１００、可動板５６、調圧用ゴム板７４、作用空気室７８、切換バルブ１０８などが設けられていたが、これらは必須の構成要件でない。即ち、本発明は、複数の部材が軸方向に重ね合わされてなる仕切部材が第二の取付金具に対してシールゴム層を介して嵌着固定される構造の流体封入式マウントであれば、その他のマウントの構成要件により適用範囲が限定されるものでない。
【０１１１】
加えて、前記実施形態では、本発明を自動車用エンジンマウント１０に適用したものの具体例について説明したが、本発明は、自動車用ボデーマウントやデフマウント等の他、自動車以外の各種振動体の防振マウントに対して、何れも、適用可能であることは言うまでもない。
【図面の簡単な説明】
【０１１２】
【図１】本発明の一実施形態としての自動車用エンジンマウントを示す縦断面説明図であって、図２のＩ−Ｉ断面に相当する図である。
【図２】図１におけるＩＩ−ＩＩ断面図である。
【図３】図１における自動車用エンジンマウントの一部を構成する第一仕切部材を示す一側面説明図である。
【図４】図３における第一仕切部材を示す底面説明図である。
【図５】図１における自動車用エンジンマウントの一部を構成する第二仕切部材を示す平面説明図である。
【図６】図５における第二仕切部材を示す底面説明図である。
【図７】図１における自動車用エンジンマウントの一製造工程を拡大して示す縦断面説明図である。
【図８】図１における自動車用エンジンマウントの別の一製造工程を拡大して示す縦断面説明図である。
【図９】図１における自動車用エンジンマウントのまた別の一製造工程を拡大して示す縦断面説明図である。
【図１０】図１における自動車用エンジンマウントの図８．９に示される製造工程と異なる形態を示す一製造工程であって、図７に示される製造工程の一要部を拡大して示す縦断面説明図である。
【図１１】本発明の別の一具体例としての自動車用エンジンマウントの一部を構成する第一仕切部材の要部を拡大して示す一側面説明図である。
【符号の説明】
【０１１３】
１０  自動車用エンジンマウント
１２  第一の取付金具
１４  第二の取付金具
１６  本体ゴム弾性体
２４  小径筒部
２８  シールゴム層
３０  仕切部材
３２  第一仕切部材
３４  第二仕切部材
８８  ダイヤフラム
９４  流体室
９６  受圧室
９８  平衡室
１０２  第一のオリフィス通路
１１０  係止突起
１１２  係止孔
１２２  カバー部
【図１】
2007092972.tif 000003
【図２】
2007092972.tif 000004
【図３】
2007092972.tif 000005
【図４】
2007092972.tif 000006
【図５】
2007092972.tif 000007
【図６】
2007092972.tif 000008
【図７】
2007092972.tif 000009
【図８】
2007092972.tif 000010
【図９】
2007092972.tif 000011
【図１０】
2007092972.tif 000012
【図１１】
2007092972.tif 000013